(57)【特許請求の範囲】
【請求項１】
複数枚の短冊状の板材を並べて形成したフロアリングユニットであって、
短冊状の板材の長手方向に略直交する方向に隣接する板材間を、ほぞと溝との組み合わせによって構成し、かつ、そのほぞと溝とはきっちりと嵌合するように形成せず、屈折自在に接続し、
前記板材の長手方向に隣接する板材間も、屈折自在に接続し、
フロアリングユニットの下面のみに緩衝材を貼り付け、
フロアリングユニットの側面には、目地材として、外力によって変形しやすい材料を貼り付けて構成した、
フロアリングユニット。
【請求項２】
前記板材の長手方向の端面を交互に突出させたことを特徴とする、
請求項１に記載したフロアリングユニット。
【請求項３】
前記フロアリングユニットの下面に着脱自在の接合手段を設けたことを特徴とする、
請求項１または２のいずれかに記載したフロアリングユニット。
【発明の詳細な説明】
【０００１】
【発明の属する技術分野】
本発明は、複数のユニットを敷き詰めることによってフロアリングを形成するフロアリングユニットに関するものである。
【０００２】
【従来の技術】
オフィス等の床は、床下に配線等をおこなうことや、部分的な交換が容易なことから、正方形のカーペットユニットを敷き詰めている場合が多い。
カーペットユニットを使用すれば、配線を変更する場合に必要な部分のカーペットユニットを取り外すだけで配線のし直しができる。
また、人通りの多い経路や椅子の下等のカーペットが痛みやすいところだけを交換することもできる。
【０００３】
【本発明が解決しようとする課題】
前記した従来のカーペットユニットにあっては、次のような問題点がある。
＜イ＞カーペットユニットは、埃がたまり易い上に掃除がし難いためダニなどの害虫の温床となり易い。このため、不衛生である。
＜ロ＞カーペットユニットは、必要なときに剥がしやすいように、接着力の弱い接着剤で床に固定されている場合が多い。このため、薄いカーペットユニットは端部が剥がれたり、反りあがったりしやすい。
＜ハ＞カーペットユニットは化学製品のみで製作されている場合が多く、古くなったカーペットユニットは処分しにくい。このため大半が埋立処分となり、ごみを増やす原因となっている。
【０００４】
【本発明の目的】
本発明は上記したような従来の問題を解決するためになされたもので、簡単に設置でき、清潔なフロアリングユニットを提供することを目的とする。
また、配線などで凹凸のある床面にもきれいに敷き詰めることができるフロアリングユニットを提供することを目的とする。特に、端部の反り上がり、跳ね上がり又はがたつきがほとんど発生しないフロアリングユニットを提供することを目的とする。
さらに、部分的に取り外したり、敷き直したりが容易におこなえるフロアリングユニットを提供することを目的とする。
本発明はこれらの目的のうち少なくとも一つを達成するものである。
【０００５】
【課題を解決するための手段】
上記のような目的を達成するために本発明のフロアリングユニットは、複数枚の短冊状の板材を並べて形成したフロアリングユニットであって、短冊状の板材の長手方向に略直交する方向に隣接する板材間を、ほぞと溝との組み合わせによって構成し、かつ、そのほぞと溝とはきっちりと嵌合するように形成せず、屈折自在に接続し、前記板材の長手方向に隣接する板材間も、屈折自在に接続し、フロアリングユニットの下面のみに緩衝材を貼り付け、フロアリングユニットの側面には、目地材として、外力によって変形しやすい材料を貼り付けて構成した、フロアリングユニットを特徴とするものである。
【０００６】
【本発明の実施の形態】
以下、図面を参照しながら本発明の実施の形態について説明する。
【０００７】
＜イ＞フロアリングユニット
フロアリングユニット１は、複数枚敷き詰めてフロアリングを形成する。
例えば、一辺が３０〜１００ｃｍの正方形状のフロアリングユニット１が使用できる。
フロアリングユニット１は、複数の板材２と、下面に取り付ける緩衝材３とで構成し、必要に応じて側面に目地材４を取り付ける。
【０００８】
＜ロ＞板材
板材２は、フロアリングユニット１の表面を形成する短冊状の板材である。
複数の短冊状の板材２を組み合わせて、一つのフロアリングユニット１にする。
板材２は、広葉樹板材、各種の間伐材、公知の合板等から製作できる。例えば１０ｍｍ程度の厚みの板材２を使用する。
板材２の長手方向に伸びる側面の一方には例えば台柱状のほぞを設け、反対側の他方の側面にはほぞに合わせる溝を設ける。このほぞと溝は、きっちりと嵌合するようには形成せずに、外力によって接続した板材２が屈折するような組み合わせとする（図２参照）。
この他にも、蝶番やシート材等を介在させることによって、板材２間を屈折自在に接続することもできる。
【０００９】
＜ハ＞緩衝材
緩衝材３は、フロアリングユニット１の下面を形成する面材である。
例えば、発泡ウレタン、ゴム、流動体を注入した可撓性袋体、半球状の凹凸を設けた薄い金属板等が使用できる。緩衝材３をフロアリングユニット１の下面に配置することで、床面の凹凸を吸収し、フロアリングユニット１の表面を平らにすることができる。
緩衝材３は、板材２を決められたユニットの形状に拘束する役割も果たす。
また、緩衝材３の一方の端部に凸部３１を設け、反対側の他方の端部を凸部３１の形状に嵌合するような形状に切り込んで凹部３２を形成することができる。隣り合うフロアリングユニット１ａ，１ｂの凸部３１と凹部３２を嵌め合わせることで、フロアリングユニット１ａ，１ｂ間をしっかりと連結することができる（図３参照）。なお、凸部３１と凹部３２の形状は、図３のようなＴ字形に限られるものではなく、任意の形状を選択することができる。当然、緩衝材３の端部を等幅で帯状に突出させ、反対側の端部を等幅で切り込むだけでもよい。
【００１０】
＜ニ＞目地材
目地材４は、フロアリングユニット１間の隙間を埋める材料である。目地材４を配置することで、フロアリングユニット１のずれやがたつき又は跳ね上がり等を抑えることができる。
目地材４は、フロアリングユニット１の側面に貼り付ける。
目地材４には外力によって変形しやすい材料を使用する。例えば、緩衝材３と同様の材料が使用できる。
【００１１】
＜ホ＞接合手段
接合手段は、フロアリングユニット１を床面に固定する手段である。
接合手段は、必要に応じて使用すればよい。すなわち、フロアリングユニット１がずれたりする心配がない場合は使用する必要はない。
接合手段には、例えば取付具６１，６２を重ね合わせることによって接合し、引き離す方向に引張ることによって剥がれ、着脱が何度も繰り返しおこなえるような公知の接合手段が使用できる。
例えば緩衝材３の中央を切り抜き、一方の取付具６１をその切り抜いた中央部に貼り付ける。そして、他方の取付具６２を床面の所定の場所に接着剤などで固定する。この取付具６１は、中央部でなくても端部付近に帯状に貼り付けてもよい。
また、接合手段は、着脱が容易におこなえる程度の粘着力の弱い公知の接着剤であってもよい。その場合は、緩衝材３の下面又は設置する床面に接着剤を塗布する。
【００１２】
＜ヘ＞フロアリングユニットの組み立て
例えば正方形の緩衝材３の上に、フロアリングユニット１の半分の長さの板材２を貼り付ける。
板材の長手方向に略直交する方向に隣接する板材２ａ，２ｂ間の接続は、ほぞ等を設けて屈折自在にする。図１は６本の板材２を前後２段、合計１２本使用してフロアリングユニット１を形成した場合の実施例である。なお、各板材２の幅及び長さや、フロアリングユニット１に使用する本数は任意に選択することができる。
長手方向に隣接する板材２ａ，２ｃ間は、突き合わせるだけでもよいし、ほぞ等を設けて屈折自在に接続してもよい。
【００１３】
また、板材２を交互にずらして配置することもできる。
例えば、端部に配置した板材２ｄよりも、その隣りに配置する板材２ｅの端部を突出させる（図４参照）。これを交互に繰り返して、端面が出入りするような形状とすることができる。この場合、同じ長さの板材２ｄ，２ｅを使用することで、反対側の端面は逆のパターンで出入りするようになる。
【００１４】
＜ト＞フロアリングユニットの敷設
フロアリングユニット１を床面に敷き並べる。
例えば、端部の緩衝材３に凸部３１と凹部３２を設けたフロアリングユニット１ａ，１ｂを敷設する場合は、床に設置したフロアリングユニット１ａの凸部３１に別のフロアリングユニット１ｂの凹部３２を嵌め合わせるようにして敷設する。
また、端面が交互に出入りしたフロアリングユニット１ｃには、逆のパターンで出入りした端面のフロアリングユニット１ｃを、緩衝材３が板材２ｅの下方に差し込まれるようにして設置する（図４参照）。
また、フロアリングユニット１の固定は、例えば所定の間隔で床面に取付けた取付具６２に、フロアリングユニット１の取付具６１が重なるようにして固定する。
【００１５】
＜チ＞作用
本発明のフロアリングユニット１は、下面に緩衝材３を有する。このため、床面に配線などの凹凸があっても、その凹凸を吸収してきれいに並べることができる。
また、屈折自在に板材２が接続されているため、フロアリングユニット１内で凹凸を吸収でき、端部が浮き上がることがない。特に、凸部３１や凹部３２に成形した緩衝材３を介してフロアリングユニット１間を接続する場合は、端部の跳ね上がりなどを抑えることができる。
また、板材２はカーペットに比べて厚みがあり、剛性も高いため、端部の反り上がりを抑えることができる。
さらに、目地材４によってフロアリングユニット１間の隙間を塞ぐことができるので、余裕量を見込んでフロアリングユニット１を敷設しても、フロアリングユニット１がずれたりすることがない。
【００１６】
【本発明の効果】
本発明のフロアリングユニットは以上説明したようになるから次のような効果を得ることができる。
＜イ＞フロアリングユニットは、埃がたまり難く清潔である。また、所定の大きさのユニットを敷き並べるだけなので簡単に設置できる。
＜ロ＞緩衝材を下面に取り付け、板材間を屈折自在に接続したため、端部の反り上がり、跳ね上がり又はがたつきを抑えることができる。
＜ハ＞所定の大きさのユニットを着脱自在に敷き並べるため、部分的な取替えや、配線等の必要に応じて取り外しや敷き直しが容易におこなえる。
【図面の簡単な説明】
【図１】本発明のフロアリングユニットの実施例の斜視図。
【図２】板材間の接続部の実施例の拡大側面図。
【図３】フロアリングユニット間を緩衝材で接続する場合の実施例の説明図。
【図４】交互に突出した端面を有するフロアリングユニットの実施例の斜視図。
【図５】フロアリングユニットの下面に接合手段を設ける場合の実施例の説明図。
【符号の説明】
１・・・フロアリングユニット
２・・・板材
３・・・緩衝材
３１・・凸部
３２・・凹部
４・・・目地材
【図１】
0003771838.tif 000002
【図２】
0003771838.tif 000003
【図３】
0003771838.tif 000004
【図４】
0003771838.tif 000005
【図５】
0003771838.tif 000006